(57)【特許請求の範囲】
【請求項１】
左右一対の移送台フレーム１９に移送手段３０を設けて上面を開放した引き出し形状または上部を開口したポットを縦横に並べた育苗容器２を移送し得る移送台４に、前記育苗容器２の上面より高い縦板により形成され前記育苗容器２を案内するガイド兼起立部材３６と、前記育苗容器２の上面側を摺接するスクレーパ３１とを設け、前記移送台４の一側には移送中の前記育苗容器２の上方に土を上昇させるバケット６を有するバケットコンベア５を設け、該バケットコンベア５により直接前記育苗容器２の上方に土を供給するようにした育苗容器用土供給装置。
【請求項２】
請求項１において、前記ガイド兼起立部材３６の終端と前記スクレーパ３１との間には土が落下する隙間を形成した育苗容器用土供給装置。
【請求項３】
請求項１または請求項２において、前記スクレーパ３１の移送方向前側には前記育苗容器２に供給した土の上面を掃く回転ブラシ３３を設けた育苗容器用土供給装置。
【請求項４】
請求項１または請求項２または請求項３において、前記バケットコンベア５は前記移送台４の搬送方向に対して交差方向にバケット６を上昇するように配置し、バケットコンベア５の上部には移送台４の移送方向に対する交差方向に放擲した土３を、移送台４の移送方向と並行方向であって移送台４の始端部側に誘導する誘導樋２５を設けた育苗容器用土供給装置。
【請求項５】
請求項１または請求項２または請求項３または請求項４において、前記バケットコンベア５には上部のホッパー１７と下部の搬送ベルト１８により土を供給する供給兼回収戻し装置１６を接続した育苗容器用土供給装置。
【請求項６】
請求項５において、前記前記ホッパー１７は前記移送台４の下方に位置して落下する土を受け入れる回収部２０と、移送台４とは重合せず土を張り込む張込部２１とにより構成した育苗容器用土供給装置。
【請求項７】
請求項６において、前記移送台４は前記ホッパー１７に取付けた育苗容器用土供給装置。
【発明の詳細な説明】
【０００１】
【産業上の利用分野】
本発明は、育苗容器用土供給装置に係るものである。
【０００２】
【従来技術】
従来、育苗容器を移送する移送台の上方位置に、上部のホッパーと下部の供給ベルト等からなる土繰出装置と、前記ホッパーに土を補給するバケットを有する補給コンベアとからなるものは、公知である。
【０００３】
【発明が解決しようとする課題】
前記公知例は、ホッパーに一旦土を貯留し、ベルトにより設定した供給量を繰り出す構成であるから、必ず、ホッパーとベルトとこれらを取付けるフレームと、その他付属品を有する土繰出装置が必要であり、かつ、これに土を補給する補給コンベアを組合せていた。
したがって、部品点数が多いという課題がある。
しかし、余分に土を供給してから取り除いて設定量にするように、発想を変えると、前記土繰出装置を不要にした土供給装置を構成できる。
【０００４】
【発明の目的】
構成の簡素化、部品点数の削減、コストダウン。
【０００５】
【課題を解決するための手段】
本発明は、左右一対の移送台フレーム１９に移送手段３０を設けて上面を開放した引き出し形状または上部を開口したポットを縦横に並べた育苗容器２を移送し得る移送台４に、前記育苗容器２の上面より高い縦板により形成され前記育苗容器２を案内するガイド兼起立部材３６と、前記育苗容器２の上面側を摺接するスクレーパ３１とを設け、前記移送台４の一側には移送中の前記育苗容器２の上方に土を上昇させるバケット６を有するバケットコンベア５を設け、該バケットコンベア５により直接前記育苗容器２の上方に土を供給するようにした育苗容器用土供給装置としたものである。
本発明は、前記ガイド兼起立部材３６の終端と前記スクレーパ３１との間には土が落下する隙間を形成した育苗容器用土供給装置としたものである。
本発明は、前記スクレーパ３１の移送方向前側には前記育苗容器２に供給した土の上面を掃く回転ブラシ３３を設けた育苗容器用土供給装置としたものである。
本発明は、前記バケットコンベア５は前記移送台４の搬送方向に対して交差方向にバケット６を上昇するように配置し、バケットコンベア５の上部には移送台４の移送方向に対する交差方向に放擲した土３を、移送台４の移送方向と並行方向であって移送台４の始端部側に誘導する誘導樋２５を設けた育苗容器用土供給装置としたものである。
本発明は、前記バケットコンベア５には上部のホッパー１７と下部の搬送ベルト１８により土を供給する供給兼回収戻し装置１６を接続した育苗容器用土供給装置としたものである。
本発明は、前記前記ホッパー１７は前記移送台４の下方に位置して落下する土を受け入れる回収部２０と、移送台４とは重合せず土を張り込む張込部２１とにより構成した育苗容器用土供給装置としたものである。
本発明は、前記移送台４は前記ホッパー１７に取付けた育苗容器用土供給装置としたものである。
【０００６】
【実施例】
図により本発明の一実施例を説明すると、１は育苗容器２に土３を供給する土供給装置であり、育苗容器２を移送する移送台４の左右何れか一側にバケットコンベア５を設ける。バケットコンベア５は、前記移送台４による育苗容器２の移送方向と交差方向に上下移動するバケット６により構成し、バケット６は無端チエン７の外周に所定間隔を置いて複数個取付け、無端チエン７は上部回転軸８と該上部回転軸８と対となる下部回転軸９の夫々に固定のスプロケット１０と下部回転軸９に固定のスプロケット１１との間に掛け回す。前記上部回転軸８にはコンベア用モーター１２を直接または間接的に連結する。
【０００７】
しかして、バケットコンベア５の下部の、前記バケット６の回転下降側には供給兼回収戻し装置１６を設ける。供給兼回収戻し装置１６は上方にホッパー１７を設け、下方に搬送ベルト１８を設けて構成する。前記ホッパー１７は前記移送台４を支持するフレームを兼用し、ホッパー１７のバケットコンベア５側の上方位置に移送台４の左右の移送台フレーム１９を固定し、該移送台４の下方のホッパー１７部分が供給兼回収戻し装置１６の回収部２０となる。
また、前記ホッパー１７は、前記移送台４の反バケットコンベア５側より側方に長く所定長さ突出させて上面を移送台４と重合しない開放した張込部２１に形成する。張込部２１はフォークリフト２２等によって土を張り込める大きさの開口部を設けると、作業が容易になって好適である。
【０００８】
そして、前記ホッパー１７の終端（バケットコンベア５）側は前記バケットコンベア５の下部に接続してバケット６が土を掬えるように構成する。
２３は搬送ベルト１８の駆動ローラー、２４は搬送ベルト１８の受動ローラーである。
しかして、前記バケットコンベア５の上部には誘導樋２５を設ける。誘導樋２５は前記バケットコンベア５の排出口２６に接続して前記移送台４側に低く傾斜する接続部２７と、移送台４の移送方向に対する交差方向に放擲した土３を、移送台４の移送方向と並行方向であって移送台４の始端部側に誘導する誘導部２８により形成する。誘導部２８は移送台４の左右の略中央上方に位置させる。
前記移送台４は、前記育苗容器２を移送する移送手段３０を前記移送台フレーム１９に設け、前記移送手段３０の上方で前記誘導樋２５の移送方向前側にはスクレーパ３１を設ける。スクレーパ３１は平面視中央が後側で左右側が前側となるＶ形状のゴム等の弾性部材により形成し、スクレーパ３１は前記移送台４に設けた左右一対の支柱３２に高さ調節自在に取付ける。また、バケットコンベア５による土の供給量が特に多いときにはスクレーパ３１を前後に並設することもある。
【０００９】
前記スクレーパ３１の前側には、育苗容器２に供給した土の上面を掃く回転ブラシ３３を設ける。回転ブラシ３３は、公知構成であり、図示は省略するが左右一対のアームの先端に軸装して、駆動回転させ、前記アームに設けた高さ調節装置により高さ調節自在に取付ける。
しかして、前記移送台４には前記育苗容器２を案内するガイド兼起立部材３６を左右一対設ける。即ち、前記育苗容器２は、図示は省略するが上面を開放した引き出し形状の苗箱と呼ばれるものや、枠体３７にポット３８を嵌合させたものにより構成し、該育苗容器２を移送台４により移送するため、前記苗箱や枠体３７の側部を前記ガイド兼起立部材３６に摺接させて、育苗容器２の移送を案内させると共に、前記ガイド兼起立部材３６の上端は苗箱やポット３８の上縁より遥かに高く形成し、左右のガイド兼起立部材３６と育苗容器２の上面により貯留空間４０を形成し、該貯留空間４０にバケットコンベア５により間欠供給される土を貯留させることでホッパーの作用を期待し、必要充分量より多い土を最初に供給し、次ぎに、前記スクレーパ３１により余分な土を除去することにより供給量を設定量にする。
【００１０】
したがって、ガイド兼起立部材３６は縦板により形成し、始端部は前記バケットコンベア５の誘導樋２５より所定間隔を置いて後側に位置させ、ガイド兼起立部材３６の終端部（前端部）と前記スクレーパ３１（スクレーパ３１を複数並設したときは手前のスクレーパ３１）との間には土が落下する隙間４１を形成するように配置する。また、ガイド兼起立部材３６は左右幅およびに高さ調節自在にフレーム１９に取付けると、大きさの相違する育苗容器２に対応させることができ、好適である（図４）。
しかして、前記供給兼回収戻し装置１６のホッパー１７は、側面視Ｖ形状に形成し、移送台４より落下する土を回収し得るようにし、例えば、その前板４２の上端を前記ガイド兼起立部材３６の始端部より移送台４の始端部側とし、その後板４３後板４３は前記回転ブラシ３３より前側に位置させると、確実に土を回収でき、好適である。
また、ホッパー１７には走行車輪４４を設け、移送台４とバケットコンベア５と供給兼回収戻し装置１６を一体的に移動し得るようにしている。走行車輪４４は自在輪（キャスター輪）であって、ストッパ機構付きにすると、操作性・作業性を向上させる。
【００１１】
【作用】
次に作用を述べる。
供給兼回収戻し装置１６のホッパー１７の張込部２１に篩土を投入し、全体のスイッチをオンにすると、供給兼回収戻し装置１６およびバケットコンベア５および移送台４に通電される。
ホッパー１７の張込部２１に投入された篩土は、搬送ベルト１８によりバケットコンベア５の下部に搬送され、ホッパー１７の終端で反転して上昇するバケット６が土を上昇させて上方位置にて放擲し、放擲された土はバケットコンベア５の誘導樋２５により移送台４の移送方向と並行方向に流下方向が変換されて、移送台４の上方に落下する。
【００１２】
このとき、移送台４には育苗容器２が移送されているから、誘導樋２５より落下した土は育苗容器２に供給される。
この場合、バケットコンベア５は移送中の育苗容器２の上方に土を落下させるだけであるが、移送台４には移送中の育苗容器２を案内するガイド兼起立部材３６を左右一対設け、ガイド兼起立部材３６は育苗容器２のポット３８または苗箱の上縁より遥かに高く形成しているから、バケットコンベア５より供給された多量の土は育苗容器２上面と左右のガイド兼起立部材３６とスクレーパ３１に囲まれた貯留空間４０内に貯留され、スクレーパ３１の下方を通過するときに、供給設定量にされる。
【００１３】
即ち、従来のように繰出口を調節して育苗容器２に所定量の土を落下させるのではなく、育苗容器２上に多量に供給し、その後スクレーパ３１により供給設定量にするという構成により、特に、移送台４の上方にホッパーおよび繰出ベルトからなる土繰出装置は設けず、また、バケットコンベア５はバケット６による間欠供給であるが、移送台４に左右一対のガイド兼起立部材３６とスクレーパ３１を設けるだけですみ、構成を頗る簡素にできる。この場合、従来も、スクレーパ３１や回転ブラシ３３を設けているが、これは、土上面を均平にできるだけの数mmあるいは１cm程度余分に供給して除去する方法であって、育苗容器２全体にくまなく供給するための数cm以上の多量供給と相違し、ホッパと供給ベルト等を必要とする土繰出装置を省略できるものではない。したがって、多量供給とスクレーパ３１による除去の構成にすることにより、ホッパーおよび繰出ベルトからなる土繰出装置の省略を実現できる。
多量供給を前提とするから、精密な供給量の設定が不要となって、バケットコンベア５による直接供給が可能になって、この点でもコストを低くできる。即ち、従来の土繰出装置では、繰出口に少し大きい土塊が詰まっただけで、この部分から土は供給されず、供給量に斑が発生し、そのため、土の種類や繰出口の開口面積の精密な調節を必要とするが、本願の場合は、多量供給後に除去するのでバケットコンベア５による直接供給が可能になって、操作性・作業性を向上させる。
【００１４】
また、バケットコンベア５は移送台４の移送方向に対して交差方向に土を放擲しているが、バケットコンベア５の上部に設けた誘導樋２５が移送方向と並行に流下方向を変換させているので、土は育苗容器２の上方の左右両側に流下させることができ、誘導樋２５との相乗作用によって、ポット３式の育苗容器２でも各ポット３８に土を確実に供給できる。
しかして、前記移送台４は、その移送台フレーム１９の前後略中央部を供給兼回収戻し装置１６のホッパー１７上に載置固定し、ホッパー１７の前板４２および後板４３は移送台４より土が落下する範囲に設けているから、移送台４にて育苗容器２に供給した土のうち余った土は供給兼回収戻し装置１６のホッパー１７の回収部２０に落下して、張り込んだ土と合流してバケットコンベア５により、育苗容器２に供給する。
【００１５】
したがって、育苗容器２に多量の土を供給し、多量の土を落下させるが、バケットコンベア５に供給兼回収戻し装置１６を組合せることにより、作業を連続させることができ、作業を簡単にでき、また、移送台４は支脚を特別に設けることなく構成でき、部品点数も減少させる。
しかして、バケットコンベア５が上昇させる土の量と、育苗容器２に供給する土の量を完全に一致させることはできないので、従来では、複雑な制御を行っており、そのため、構造も複雑になっていたが、バケットコンベア５は育苗容器２に対する供給量よりやや多く設定するだけで、余分な土は供給兼回収戻し装置１６のホッパー１７に落下させて循環させるので、この点でも、構成が簡単であり、部品点数を減少させることができる。
【００１６】
しかして、ホッパー１７は、移送台４の反バケットコンベア５側より側方に所定長さ突出させて上面を移送台４と重合しない開放した張込部２１に形成しているから、張込部２１にフォークリフト２２等によって土を張り込めるので、作業が容易にでき、また、バケットコンベア５の下部に供給ホッパーを設けなく済み、部品点数を減少させて、コストダウンでき、また、メンテナンス部分を少なくできて、好適である。
【００１７】
【効果】
本発明は、左右一対の移送台フレーム１９に移送手段３０を設けて上面を開放した引き出し形状または上部を開口したポットを縦横に並べた育苗容器２を移送し得る移送台４に、前記育苗容器２の上面より高い縦板により形成され前記育苗容器２を案内するガイド兼起立部材３６と、前記育苗容器２の上面側を摺接するスクレーパ３１とを設け、前記移送台４の一側には移送中の前記育苗容器２の上方に土を上昇させるバケット６を有するバケットコンベア５を設け、該バケットコンベア５により直接前記育苗容器２の上方に土を供給するようにした育苗容器用土供給装置としたものであるから、従来のような土繰出装置を省略して、構成を簡素にでき、部品点数を削減してコストダウンできる。
本発明は、前記ガイド兼起立部材３６の終端と前記スクレーパ３１との間には土が落下する隙間を形成した育苗容器用土供給装置としたものであるから、余分な土は落下させて、育苗容器２の上方に必要以上に土を貯留させないので、設定した供給量に確実にできる。
本発明は、前記スクレーパ３１の移送方向前側には前記育苗容器２に供給した土の上面を掃く回転ブラシ３３を設けた育苗容器用土供給装置としたものであるから、余分な土を除去すると共に、土上面を均平できる。
本発明は、前記バケットコンベア５は前記移送台４の搬送方向に対して交差方向にバケット６を上昇するように配置し、バケットコンベア５の上部には移送台４の移送方向に対する交差方向に放擲した土３を、移送台４の移送方向と並行方向であって移送台４の始端部側に誘導する誘導樋２５を設けた育苗容器用土供給装置としたものであるから、合理的な配置にできると共に、確実に左右均等に土を供給できる。
本発明は、前記バケットコンベア５には上部のホッパー１７と下部の搬送ベルト１８により土を供給する供給兼回収戻し装置１６を接続した育苗容器用土供給装置としたものであるから、供給作業を容易にできる。
本発明は、前記前記ホッパー１７は前記移送台４の下方に位置して落下する土を受け入れる回収部２０と、移送台４とは重合せず土を張り込む張込部２１とにより構成した育苗容器用土供給装置としたものであるから、多量に供給することでバケットコンベア５による間欠供給の欠点を解消し、この多量供給の問題を供給兼回収戻し装置１６により回収してバケットコンベア５に循環させることで解消できる。
本発明は、前記移送台４は前記ホッパー１７に取付けた育苗容器用土供給装置としたものであるから、移送台４の支持構造を省略でき、部品点数も減少させる。
【図面の簡単な説明】
【図１】  土供給装置の概略背面図。
【図２】  同一部縦断側面図。
【図３】  誘導樋付近の斜視図。
【図４】  ガイド兼起立部材の取付状態図。
【符号の説明】
１…土供給装置、２…育苗容器、３…土、４…移送台、５…バケットコンベア、６…バケット、７…無端チエン、８…上部回転軸、９…下部回転軸、１０…スプロケット、１１…スプロケット、１２…コンベア用モーター、１６…供給兼回収戻し装置、１７…ホッパー、１８…搬送ベルト、１９…移送台フレーム、２１…張込部、２０…回収部、２３…駆動ローラー、２４…受動ローラー、２５…誘導樋、２６…排出口、２７…接続部、２８…誘導部、３０…移送手段、３１…スクレーパ、３２…支柱、３３…回転ブラシ、３６…ガイド兼起立部材、３７…枠体、３８…ポット、４０…貯留空間、４１…隙間、４２…前板、４３…後板、４４…走行車輪。
【図１】
0004105318.tif 000002
【図２】
0004105318.tif 000003
【図３】
0004105318.tif 000004
【図４】
0004105318.tif 000005